(57)【要約】【課題】必要以上に舌表面を傷付けることがなく、しかも簡単に舌苔を除去することができる舌の清掃具及び使用方法を提供する。【解決手段】舌の清掃具１は、板状部１Ｃが平行に並ぶ表面１１と裏面１２を有し、先端部１Ｂに舌表面Ｓと接触する擦過縁１３を備えている。先端部１Ｂの擦過縁１３が、裏面１２に連続し且つ角を有しない湾曲面によって構成されている。そして先端部１Ｂは、擦過縁１３に連続して、舌表面Ｓと接触しないように立ち上がる立ち上がり面１４と、該立ち上がり面１４と連続して板状部１Ｃの表面１１まで延びる傾斜面１５を有している。擦過縁１３を裏面１２側から見た輪郭形状は、図１に示すように、先端に向かって凸となる湾曲形状を有している。【選択図】  図２
2018094292.tif 000002
【特許請求の範囲】
【請求項１】
平行に並ぶ表面と裏面とを有し、先端部に舌表面と接触する擦過縁を備え、舌の前方から後方に向かって前記舌表面上を移動させられる１以上の板状部を有する舌の清掃具であって、
前記先端部の前記擦過縁は前記裏面に連続し且つ前記裏面との間に角部を形成しない湾曲面によって構成されており、
前記先端部は、前記擦過縁に連続して立ち上がる立ち上がり面と、前記立ち上がり面に連続して前記表面まで延びる傾斜面を有しており、
前記擦過縁を前記裏面側から見た輪郭形状は、前記１以上の板状部の先端に向かって凸となる湾曲形状を有していることを特徴とする舌の清掃具。
【請求項２】
前記１以上の板状部はステンレス板によって構成されている請求項１に記載の舌の清掃具。
【請求項３】
一枚のステンレス板の両端部がそれぞれ前記１以上の板状部を構成している請求項２に記載の舌の清掃具。
【請求項４】
前記ステンレス板が厚み０．９ｍｍ〜１．１ｍｍのＳＵＳ３０４のステンレス板である請求項２または３に記載の舌の清掃具。
【請求項５】
前記擦過縁の前記湾曲面は、曲率半径ＲがＲ＝０．０５ｍｍの仮想円弧とＲ＝０．１５ｍｍの仮想円弧の間に入る湾曲面である請求項１に記載の舌の清掃具。
【請求項６】
前記湾曲面が円弧面である請求項５に記載の舌の清掃具。
【請求項７】
前記擦過縁の前記凸となる湾曲形状は、曲率半径ＲがＲ＝２５ｍｍの仮想円弧とＲ＝４０ｍｍの仮想円弧の間に入る湾曲形状である請求項１に記載の舌の清掃具。
【請求項８】
前記擦過縁の前記凸となる湾曲形状が円弧形状である請求項７に記載の舌の清掃具。
【請求項９】
前記先端部の前記立ち上がり面と前記傾斜面との交点を通り前記裏面と平行である仮想平面と、前記裏面との距離が０．２ｍｍ〜０．３ｍｍの寸法である請求項４に記載の舌の清掃具。
【請求項１０】
前記傾斜面の延長線と前記表面との交差角度が２５°〜３０°である請求項１に記載の舌の清掃具。
【請求項１１】
前記板状部の長手方向及び厚み方向と直交する幅方向の寸法が、１６ｍｍ〜１８ｍｍである請求項７に記載の舌の清掃具。
【請求項１２】
前記１以上の板状部は、一つの前記板状部と前記一つの板状部の延長部のみから構成され、
前記一つの板状部と前記延長部の合計の前記長手方向の長さ寸法が８０ｍｍ〜１２０ｍｍである請求項８に記載の舌の清掃具。
【請求項１３】
前記裏面と前記表面とは、視覚または触覚によって識別可能な表面性状を有している請求項１２に記載の舌の清掃具。
【請求項１４】
前記裏面と前記表面の少なくとも一方には、表裏を識別するためのマーカーが設けられている請求項１２に記載の舌の清掃具。
【請求項１５】
請求項１乃至１４のいずれか１項に記載の舌の清掃具を、舌の前方から後方に向かって前記舌表面上を移動させることを特徴とする舌の清掃具の使用方法。
【発明の詳細な説明】
【技術分野】
【０００１】
本発明は、舌苔（舌の付着物）を取り除くため舌の清掃具及びその使用方法に関するものである。
【背景技術】
【０００２】
舌表面には無数の糸状乳頭があり、この部分に食べ物の残ものが付着した状態になると、黴菌、細菌、微生物等発生し、口臭や口内炎等の原因となる舌苔や舌乳が発生する。そこでこの舌苔を除去する舌の清掃具が多数開発されている。
【０００３】
特許文献１（実用新案登録第３１３９３８０号）には、擦過縁を備えた平面視で略Ｔ字状のヘッドとアームとグリップとからなる清掃具であって、舌の表面に擦過縁下端が水平に当接するように形成され、擦過縁の角度を９０度で形成するエッジにした舌の清掃具が開示されている。この舌の清掃具では、アームとヘッドの連結角度を１３５度とし、ヘッドと舌との接触角度を略４５度に形成している。
【先行技術文献】
【特許文献】
【０００４】
【特許文献１】実用新案登録第３１３９３８０号公報
【発明の概要】
【発明が解決しようとする課題】
【０００５】
従来の舌の清掃具では、擦過縁の角度を９０°とすることにより舌苔を除去するが、角のある擦過縁を用いると、必要以上に舌表面を傷付けることがあり、傷が深くなると、傷が原因となって炎症が発生する場合がある。
【０００６】
本発明の目的は、必要以上に舌表面を傷付けることがなく、しかも簡単に舌苔を除去することができる舌の清掃具及び該清掃具の使用方法を提供することにある。
【課題を解決するための手段】
【０００７】
本発明は、平行に並ぶ表面と裏面とを有し、先端部に舌表面と接触する擦過縁を備え、舌の前方から後方に向かって舌表面上を移動させられる１以上の板状部を有する舌の清掃具を対象とする。本発明の舌の清掃具では、先端部の擦過縁は裏面に連続し且つ角を有しない湾曲面によって構成されている。そして先端部は、擦過縁に連続して立ち上がる立ち上がり面と、該立ち上がり面と連続して板状部の表面まで延びる傾斜面を有している。さらに擦過縁を裏面側から見た輪郭形状が、１以上の板状部の先端に向かって凸となる湾曲形状を有している。なお１以上の板状部が、１つの板状部からなる場合には、その後方に個別に作ったグリップ部等を設けてもよいが、板状部をそのまま後方に延長してその延長部をグリップ部としてもよいのは勿論である。
【０００８】
本発明の舌の清掃具の使用方法では、舌に擦過縁を接触させた後、舌の前方から後方に向かって舌の清掃具を移動させて使用する。本発明の舌の清掃具をこのように使用すると、擦過縁に角がないため、必要以上に舌表面を傷付けることがない。また舌の前方から後方に向かって舌の清掃具を移動させるように本発明の舌の清掃具を使用すると、その逆の使用法よりも、効率良く舌苔を除去することができる。特に、本発明では、先端部が擦過縁に連続して、立ち上がる立ち上がり面と、該立ち上がり面と連続して板状部の表面まで延びる傾斜面を有しているので、舌表面から掻き剥がした舌苔をスムーズに板状部の表面上へと導くことができる。そのため掻き剥がした舌苔の多くを板状部上に載せた状態で、口の外部へと運び出すことができる利点がある。
【０００９】
板状部の材料は、加工後にバリが残らず、錆びることがなく、硬度が高く、しかも所定の可撓性を有するものが好まく、例えばステンレス板が好ましい。
【００１０】
一枚のステンレス板の両端部がそれぞれ１以上の板状部を構成していてもよい。すなわち一枚のステンレス板の両端部に、それぞれ擦過縁を設けても良い。この場合には、２つの擦過縁の湾曲面の曲率を変えておくのが好ましい。またＹ字状のステンレス板、十字状のステンレス板のように３以上の板状部を有するステンレス板を用いて、それぞれの板状部の先端にそれぞれ擦過縁を設けるようにしてもよいのは勿論である。この場合にも、各擦過縁の湾曲面の曲率は変えておくのが好ましい。
【００１１】
ステンレス板を用いる場合、ステンレス板としては、厚みが０．９ｍｍ〜１．１ｍｍのＳＵＳ３０４のステンレス板を用いるのが好ましい。このステンレス板は、前述の要件を全て満たす材料で、しかも安価に入手できるので、舌の清掃具を安価に製造できるメリットがある。
【００１２】
擦過縁の湾曲面は、曲率半径ＲがＲ＝０．０５ｍｍの仮想円弧とＲ＝０．１５ｍｍの仮想円弧の間に入る湾曲面であるのが好ましい。特に、湾曲面が円弧面であるのが最も好ましい。発明者の試験によると、この範囲に入る湾曲面であれば、板状部の舌表面に対する角度を殆ど気にすることなく、スムーズに舌苔を除去することができる。
【００１３】
また擦過縁を裏面側から見た輪郭形状の先端に向かって凸となる湾曲形状は、曲率半径ＲがＲ＝２５ｍｍの仮想円弧とＲ＝４０ｍｍの仮想円弧の間に入る湾曲形状であるのが好ましい。この場合、湾曲形状が円弧形状であるのが好ましい。発明者の試験によると、この範囲に入る湾曲面であれば、スムーズに舌苔を除去することができるだけでなく、掻き剥がした舌苔の大部分を板状部の表面から落とすことなく口の外部に取り出すことができる。
【００１４】
また先端部の立ち上がり面と傾斜面との交点を通り裏面と平行である仮想平面と、裏面との距離を０．２ｍｍ〜０．３ｍｍの寸法にすると、擦過縁の厚みが薄くなりすぎず、しかも掻き剥がした舌苔が板状部の表面に乗らずに、舌上に残ってしまうのを防止できる。
【００１５】
なお板状部の長手方向及び厚み方向と直交する幅方向の寸法が、１６ｍｍ〜１８ｍｍであるのが好ましい。幅寸法がこの範囲より小さいと、舌の清掃具を動かす回数が増え、この範囲以上になると、口の小さい人には、幅寸法が大きくなりすぎて使い勝手が悪くなる。
【００１６】
１以上の板状部は、一つの板状部と該一つの板状部の延長部のみから構成されていてもよい。この場合、板状部と延長部の合計の長手方向の長さ寸法が８０ｍｍ〜１２０ｍｍであるのが好ましい。この構造であれば、最もシンプルで、しかも低価格で舌の清掃具を提供できる。
【００１７】
なお１以上の板状部の裏面と表面とは、視覚または触覚によって識別可能な表面性状を有しているのが好ましい。このような表面性状としては、凹凸表面の凹凸状態の相違や、表面の光沢の相違等が上げられる。このようにすると、使用者が板状部の表と裏を正確に認識して、舌の清掃を行うことができる。
【００１８】
なお裏面と表面の少なくとも一方には、表裏を識別するためのマーカーが設けられていてもよい。このマーカーは、記号、文字、図形など何でもよい。
【００１９】
本発明の舌の清掃具の使用する場合には、舌の前方から後方に向かって舌表面上を移動させる。このようすると舌苔の掻き剥がしが容易である上、掻き剥がした舌苔を板状部の上に載せて、舌苔を口内から外に取り出すことができる。
【図面の簡単な説明】
【００２０】
【図１】本実施の形態の舌の清掃具の平面図である。
【図２】本実施の形態の舌の清掃具の側面から見た先端部の拡大図である。
【図３】擦過縁の曲率半径を説明するために用いる図である。
【図４】本実施の形態の舌の清掃具の使用方法を説明するために用いる図である。
【図５】舌の清掃具の変形例を示す図である。
【発明を実施するための形態】
【００２１】
以下図面を参照して本発明の舌の清掃具の実施の形態の一例を詳細に説明する。図１は、本実施の形態の舌の清掃具の平面図であり、図２は本実施の形態の舌の清掃具の側面から見た先端部の拡大図であり、図３は本実施の形態の舌の清掃具の使用方法を説明するために用いる図である。本実施の形態の舌の清掃具１は、指で掴むグリップ部を構成する本体部１Ａと、舌の舌表面と接触する先端部１Ｂを備えた板状部１Ｃを備えている。少なくとも板状部１Ｃの材料は、加工後にバリが残らず、錆びることがなく、硬度が高く、しかも所定の可撓性を有するものが好まく、例えばステンレス板が好ましい。そこで本実施の形態の舌の清掃具１は、長手方向の長さＬが１０ｃｍ、幅寸法Ｗが１７ｍｍ、本体部１Ａの厚み寸法Ｄが１ｍｍのステンレス（ＳＵＳ３０４）板により形成されている。先端部１Ｂは、研磨加工により図２に示す形状に形成されている。なおＳＵＳ３０４のステンレス板としては、厚みが０．９ｍｍ〜１．１ｍｍのステンレス板を用いるのが好ましい。
【００２２】
舌の清掃具１は、板状部１Ｃが平行に並ぶ表面１１と裏面１２を有し、先端部１Ｂに舌表面Ｓと接触する擦過縁１３を備えている。この舌の清掃具１では、先端部１Ｂの擦過縁１３が、裏面１２に連続し且つ角を有しない湾曲面によって構成されている。そして先端部１Ｂは、擦過縁１３に連続して、舌表面Ｓと接触しないように立ち上がる立ち上がり面１４と、該立ち上がり面１４と連続して板状部１Ｃの表面１１まで延びる傾斜面１５を有している。擦過縁１３を裏面１２側から見た輪郭形状は、図１に示すように、先端に向かって凸となる湾曲形状を有している。本実施の形態では、表面１１に表面の性状を示す四角枠の中にＦの文字を表したマーカーＭが刻印されている。なお裏面１２には、四角枠の中にＲの文字を表したマーカー（図示せず）を刻印してもよい。また表面１１を光沢のある表面仕上げとして、裏面１２を光沢の無い表面仕上げとして、表と裏を視覚または触覚により区別できるようにしてもよい。
【００２３】
擦過縁１３の湾曲面は、曲率半径Ｒ１がＲ１＝０．０５ｍｍの仮想円弧とＲ１＝０．１５ｍｍの仮想円弧の間に入る湾曲面であるのが好ましく、本実施の形態では、曲率半径Ｒ１を０．１ｍｍの円弧面に近い湾曲面または円弧面によって擦過縁１３の湾曲面が形成されている。図３に示すように、この擦過縁１３の湾曲面が、曲率半径Ｒ１の完全な円弧面であれば、最も裏面１２が円弧面の接平面となる。湾曲面は２次曲面によって構成されていてもよいのは勿論である。発明者が擦過縁１３の湾曲面の形状を変えて繰り返し試験を行ったところ、前述の範囲に入る湾曲面であれば、板状部１Ｃの舌表面Ｓに対する角度を殆ど気にすることなく、スムーズに舌苔を除去することができることを確認した。擦過縁１３の湾曲面の形状がこの数値範囲より小さいと、実際に制作したものが角に近い状態となり、またこの数値範囲より大きいものにすると、舌苔の掻き剥がし性能が低下する。
【００２４】
また本実施の形態では、擦過縁１３を表面１１側から見た輪郭形状の先端に向かって凸となる湾曲形状は、曲率半径Ｒ２がＲ＝２５ｍｍの仮想円弧とＲ＝４０ｍｍの仮想円弧の間に入る湾曲形状にするのが好ましい。具体的に本実施の形態では、Ｒ＝３０ｍｍとしている。発明者の試験によると、この範囲に入る湾曲面であれば、スムーズに舌苔を除去することができるだけでなく、掻き剥がした舌苔の大部分を板状部の表面から落とすことなく口の外部に取り出すことができる。
【００２５】
また先端部１Ｂの立ち上がり面１４と傾斜面１５との交点Ｐを通り裏面１２と平行である仮想平面ＰＳと、裏面１２との距離ｄを０．２ｍｍ〜０．３ｍｍの寸法にすると、擦過縁１３の厚みが薄くなりすぎず、しかも掻き剥がした舌苔が板状部の表面に乗らずに、舌上に残ってしまうのを防止できる。本実施の形態では、ｄ＝０．２５ｍｍにしている。
【００２６】
さらに傾斜面１５の延長線と表面１１との交差角度θは、２５°〜３０°であるのが好ましい。この範囲であれば、掻き剥がした舌苔をスムーズに表面上に導くことができる。本実施の形態では、θ＝２８°に設定してある。
【００２７】
図４に示すように、舌の清掃具１の使用方法では、舌表面Ｓに擦過縁１３を接触させた後、舌の前方から後方に向かって（矢印の方向に）舌の清掃具１を移動させて使用する。舌の清掃具１をこのように使用すると、擦過縁１３に角がないため、必要以上に舌表面Ｓを傷付けることがない。また舌の前方から後方に向かって舌の清掃具１を移動させると、その逆の使用法よりも、効率良く舌苔を除去することができる。特に、本実施の形態では、先端部１Ｂが擦過縁１３に連続して、舌表面Ｓと接触しないように立ち上がる立ち上がり面１４と、該立ち上がり面１４と連続して板状部１Ｃの表面１１まで延びる傾斜面１５を有しているので、舌表面Ｓから掻き剥がした舌苔をスムーズに板状部１Ｃ上へと導くことができる。そのため掻き剥がした舌苔の多くを板状部１Ｃ上に載せた状態で、口の外部へと運び出すことができる
なお舌の清掃具１が、本実施の形態のように板状部１Ｃの延長部として本体部１Ａを構成しているが、グリップ部を構成する本体部１Ａを別の部材により構成してもよい。例えば、つまみ易いように、樹脂で厚みの厚いグリップ部を本体部１Ａに設けるようにしてもよい。また板状部１Ｃと本体部１Ａの合計の長手方向の長さ寸法が８０ｍｍ〜１２０ｍｍであるのが好ましい。この構造であれば、最もシンプルで、しかも低価格で舌の清掃具を提供できる。
【００２８】
［試験結果］
以下、ＳＵＳ３０４のステンレス板の厚みｔと、擦過縁１３の湾曲面の曲率半径Ｒ１と、擦過縁１３の凸となる湾曲形状の曲率半径Ｒ２と、立ち上がり面１４の長さｄと、傾斜面１５の延長線と表面１１との交差角度θとを変えた場合について試験を行った結果を以下に説明する。評価は、同じ姿勢で清掃具を舌表面Ｓにあてて、同じ速度で清掃具を舌の前方から後方に移動させて行ったときの、舌に刺さる感じを受ける違和感の有無と清掃具の表面に載る舌苔の量をみて、舌に刺さる感じるを受ける違和感がなく、清掃具の表面全体に掻き落とした舌苔が存在している場合を○とし、それ以外の場合を×として評価した。
【００２９】
【表１】
2018094292.tif 000003
これらの試験結果から、前述の各寸法の数値範囲であれば、評価が○となり、その範囲を外れると評価が×となることが判る。
【００３０】
［変形例］
図５に示すように、本発明は、一枚のステンレス板の両端部がそれぞれ板状部１Ｃ，１Ｃ´となり、一枚のステンレス板の両端部に、それぞれ擦過縁１３，１３´を設ける場合にも適用できる。この場合には、２つの擦過縁１３，１３´の曲率半径Ｒ１及びＲ１´を変えておくのが好ましい。また図示していないが、Ｙ字状のステンレス板、十字状のステンレス板のように３以上の板状部を有するステンレス板を用いて、それぞれの板状部の先端にそれぞれ擦過縁を設けるようにしてもよいのは勿論である。この場合にも、各擦過縁の曲率半径は変えておくのが好ましい。
【産業上の利用可能性】
【００３１】
本発明の舌の清掃具によれば、擦過縁に角がないため、必要以上に舌表面を傷付けることがない。また舌の前方から後方に向かって舌の清掃具を移動させるように本発明の舌の清掃具を使用すると、その逆の使用法よりも、効率良く舌苔を除去することができる。特に、本発明では、先端部が擦過縁に連続して、舌表面と接触しないように立ち上がる立ち上がり面と、該立ち上がり面と連続して板状部の表面まで延びる傾斜面を有しているので、舌表面から掻き剥がした舌苔をスムーズに板状部上へと導くことができる。そのため掻き剥がした舌苔の多くを板状部上に載せた状態で、口の外部へと運び出すことができる利点がある。
【符号の説明】
【００３２】
１  舌の清掃具
１１  表面
１２  裏面
１３  擦過縁
１４  立ち上がり面
１５  傾斜面
【図１】
2018094292.tif 000004
【図２】
2018094292.tif 000005
【図３】
2018094292.tif 000006
【図４】
2018094292.tif 000007
【図５】
2018094292.tif 000008